(57)【要約】【課題】収納できるメディア数を最大限に取りつつ、チェンジャー装置から離れた場所からでもメディア移送手段の動作が確認できるようにする。【解決手段】メディアを収納する複数のホルダを有するメディア収納棚２１４と、メディア収納棚に対してメディアを取り出し及び収納するメディア移送手段２２２−２２５と、メディア移送手段に配置され前面窓２１１に光を照射する発光手段２１３と、前面窓に配置した拡散手段２１２とを備え、複数のホルダ間には前後方向に見通せる空間が設けられており、発光手段２１３がこの空間を通して拡散手段２１２に対して光を照射することで拡散手段２１２が発光してメディア移送手段の位置や動作を視認することができる。【選択図】図１
2006092716.tif 000002
【特許請求の範囲】
【請求項１】
外箱を構成し前面に前面窓を有するキャビネットと、
メディアを収納する複数のホルダを有するメディア収納棚と、
少なくとも前記キャビネット内を移動し前記メディアを保持する保持機構を有し前記メディア収納棚に対して前記メディアを取り出し及び収納するメディア移送手段と、
前記メディア移送手段に配置され前記前面窓に光を照射する発光手段と、
前記前面窓に配置され照射された光を拡散する拡散手段とを備え、
前記複数のホルダ間には前後方向に見通せる空間が設けられており、
前記メディア移送手段が移動中及び停止中に前記発光手段が前記空間を通して前記拡散手段に対して光を照射するチェンジャー装置。
【請求項２】
前記発光手段は複数の発光部材を有し、
前記メディア移送手段の移動及び停止状態に基づいて発光させる発光部材及び発光パターンのうち少なくとも一方を変化させる請求項１記載のチェンジャー装置。
【請求項３】
前記メディアを記録及び再生する記録再生手段をさらに有し、
前記メディア移送手段は、前記メディア収納棚と前記記録再生手段との間で前記メディアを移送する請求項１及び２のいずれかに記載のチェンジャー装置。
【発明の詳細な説明】
【技術分野】
【０００１】
本発明は、メディアをメディア収納棚から記録再生装置に移送するチェンジャー装置に関する。
【背景技術】
【０００２】
従来、メディア収納棚に保管されている各種メディア（記録媒体）を記録再生手段に移送するメディア移送手段を備えたチェンジャー装置が使用されてきた。図６に、従来のチェンジャー装置の斜視図を示す（特許文献１参照）。図６のような従来のチェンジャー装置において、キャビネット１０１は、チェンジャー装置の外装を構成する筐体である。キャビネット１０１の前面は、内部が視認できるように前面窓１０６が設けられている。ＢＩＮ１０３、１０４はメディア収納棚であり、複数のメディアを前記キャビネット内に保管するための棚である。メディア移送手段１０２は、左右上下前後にスライド移動及び回転し、ＢＩＮ１０３、１０４に対してメディアを取り出し及び収納し、またＢＩＮ１０３、１０４と記録再生手段１０５との間でメディアを移送する。
【０００３】
図７は、従来のメディア収納棚の斜視図を示す。各種メディア１１１（記録媒体）を一つ収めることが出来るホルダ１１２を複数積み重ね、並べることによりＢＩＮが構成される。図６のように、キャビネット１０１前面の後ろ側にＢＩＮ１０４が配置され、さらにその後ろにメディア移送手段１０２が配置されている場合には、メディア移送手段１０２の動作をユーザが確認することができない。
【０００４】
そこでそのような場合には図８のように、キャビネット側面に側面窓１２１を設けて内部を視認できるようにするか、ＢＩＮ１０４に未使用範囲１２２を設け、前面窓１０６から未使用範囲１２２を通して内部を視認できるようにしていた。また、キャビネット１０１内に鏡を設け前面窓から鏡越しにメディア移送手段の動作を確認できるようにした物もある（特許文献２参照）。
【特許文献１】実開平１−３５５４５号公報
【特許文献２】特開平９−５５０７５号公報
【発明の開示】
【発明が解決しようとする課題】
【０００５】
しかしながら、前記従来のチェンジャー装置では、キャビネット横の窓が他の装置等の構造物でふさがれた場合はメディア移送手段の視認ができないという課題があった。
【０００６】
また、ＢＩＮに未使用範囲を設けた場合は内部視認はできるものの収納巻数が減ってしまうという課題を有していた。チェンジャー装置の場合、単位体積当たりの収納巻数が選定の重要項目であるため、内部視認の為に収納巻数を減らす方法は望ましくない。
【０００７】
また、鏡を配置する方法は、メディア移送手段に対し鏡が十分大きい場合や、メディア移送手段とＢＩＮが近い場合は有効であるが、鏡が小さい物しか配置できない場合やメディア移送手段のストロークが長い場合は、写った虚像が小さく解りにくいものとなるという課題があった。
【０００８】
本発明は、このような問題点に鑑み、収納できるメディア数を最大限に取りつつ、チェンジャー装置から離れた場所からでもメディア移送手段の動作が確認できる事により、ユーザに安心感を与えられるチェンジャー装置を提供することを目的とする。
【課題を解決するための手段】
【０００９】
前記従来の課題を解決するために、本発明のチェンジャー装置は、外箱を構成し前面に前面窓を有するキャビネットと、メディアを収納する複数のホルダを有するメディア収納棚と、少なくともキャビネット内を移動しメディアを保持する保持機構を有しメディア収納棚に対してメディアを取り出し及び収納するメディア移送手段と、メディア移送手段に配置され前面窓に光を照射する発光手段と、前面窓に配置した拡散手段とを備え、複数のホルダ間には前後方向に見通せる空間が設けられており、メディア移送手段が移動中及び停止中に発光手段が空間を通して拡散手段に対して光を照射する構成としたものである。
【発明の効果】
【００１０】
本発明のチェンジャー装置によれば、移送手段の動作が直接視認できないまたは困難な場合でも、メディア移送手段に取り付けた発光手段から発した光が、メディア収納棚（ＢＩＮ）の開口部からキャビネットの前面窓に設けられた拡散手段に届き、拡散手段が発光する事によりメディア移送手段の位置や動作を視認することができる。透明な窓に光を照射した場合は、真正面からは光は視認できるものの斜め横からは視認できないが、本発明のように拡散手段を配置することにより、窓に当たった光が散乱することで発光するので斜めからでもメディア移送手段の動きや位置を視認することができ、そのことによりユーザに安心感を与えることができる。
【発明を実施するための最良の形態】
【００１１】
以下本発明を実施するための最良の形態について、図面を参照しながら説明する。
＜実施の形態１＞
図１は、本発明の実施の形態１におけるチェンジャー装置の斜視図を示す。外装を構成するキャビネット２２１の前面には前面窓２１１と拡散手段２１２が設けられている。前面窓２１１は透明な部材で構成されており、無色、有色は問わない。また、その材料としてはアクリル等のプラスチック材料やガラスを用いることが出来る。前面窓２１１の裏面には、拡散手段２１２が貼り付けられている。
【００１２】
拡散手段２１２は、光が照射されるとそこで光が拡散されるような半透明の部材である。拡散手段２１２は、乳白色のプラスチック板が最適であるが、表面に微細な凹凸を均一に形成させたつや消し仕上げのシート等、光が拡散手段２１２に届いたときに光が拡散されて拡散手段自体が光っているように見える物ならなんでもよい。拡散手段２１２は、前面窓２１１の表面に貼り付けるようにしてもよい。また、前面窓２１１と拡散手段２１２は一体に形成されていてもよい。例えばすりガラスなども適しているし、前述乳白色のプラスチック板を前面窓と拡散手段を兼ねたものとして配置してもよい。
【００１３】
キャビネット２２１内には、前後方向に対向するように２つのメディア収納棚としてのＢＩＮ２１４を配置する。ＢＩＮ２１４は図１のように前後に二面配置してもよいし、前側に一面のみ配置してもよい。
【００１４】
メディア移送手段は、被収納物としてのメディアを左右方向に移送する左右方向移送手段２２２、メディアを上下方向に移送する上下方向移送手段２２３、メディアをＢＩＮ２１４や記録再生手段２２６に対して取り出したり挿入するためにメディアを前後方向に移送する前後移送手段２２５を有している。また、メディア移送手段は、ＢＩＮが前後２面配置されている場合には、メディアを回転させる回転移送手段２２４をさらに有している。この場合、前後移送手段２２５は回転移送手段２２４上に配置され、前後移送手段２２５を回転させることにより前後のＢＩＮにアクセスできるようにする。前後移送手段２２５にはメディアを保持する機構が備わっている。
【００１５】
発光手段としての光源２１３は、メディア移送手段のうち、移送するメディアと共に上下左右および前後に移動しかつ回転しない部分で、キャビネット前面に向けて設置される。本実施の形態においては、光源２１３は左右移送手段上の上下移送手段２２３上に配置する。光源２１３を前後移送手段２２５または、回転移送手段２２４上に配置すると前後２面配置されているどちらかのＢＩＮのメディアにアクセスしたとき反転動作が行われるため、前面窓２１１及び拡散手段２１２と反対側に光を照射してしまうため本発明の効果は得られない。メディア移送手段は、ほとんどの場合メディア２０１をＢＩＮ２１４に対して挿入した位置で停止、すなわち一定の間隔で収納された任意のメディア２０１の正面付近で停止している。したがって、ＬＥＤ２１３は、メディア移送手段のこのような停止位置を考慮して、隙間２０５と軸線を同一になるようにするのが最適である。より具体的には、メディア移送手段の前後移送手段２２５がＢＩＮ２１４にメディア２０１を挿入した位置で停止したときに、ＬＥＤ２１３が隙間２０５の正面に来るように、メディア移送手段上のＬＥＤ２１３の取り付け位置を決定する。このようにＬＥＤ２１３を配置することで、メディア移送手段の停止中もＬＥＤ２１３の光量が減光することなく拡散手段２１２が効率よく発光する。なお、このメディア移送手段２２２〜２２５は、ＢＩＮ２１４からメディアを取り出し上下左右前後にスライド、あるいは回転し記録再生装置２２６にメディアを搬送し、自動装填し、記録再生装置２２６がメディアを記録再生可能な状態にする。また、その逆の搬送も行う。
【００１６】
図２は、本発明の実施の形態１におけるＢＩＮ２１４の斜視図である。ＢＩＮ２１４は、メディア２０１を収納する左右に分割された棚部材２０２と、棚部材２０２を固定する棚固定部材２０３とを有している。左右の棚部材２０２の対向する一対のコの字状の凹部２０４が、一つのメディアを収納するホルダ２０７を構成する。少なくとも上下に隣接するホルダ２０７の間には、メディア２０１をそれらのホルダ２０７に収納した状態においても隙間２０５が存在する。また、棚固定部材２０３には、光が通過できるように図のように隙間２０５と対向する位置にそれぞれ開口部２０６を設けておく。このような構成により、ＢＩＮ２１４には、各ホルダ間に前後方向に反対側を見通せる空間が設けられていることになり、その結果、メディア移送手段に配置した光源２１３からの光がＢＩＮ２１４の後部から前部に向けて通過する。
【００１７】
図３は、本発明の実施の形態１における前面窓とＢＩＮと光源の関係図である。光源２１３は、発せられる光が２１２拡散手段に当たったときにこれを発光させることのできる光量が必要である。光源２１３としては、レンズ付きのＬＥＤを一つまたは複数個並べて取り付けるのが最適である。光源２１３にて発光した光は、ＢＩＮ２１４に届き、光はの一部は隙間２０５および開口部２０６を通り抜け、拡散手段２１２に届く。この光によって拡散手段２１２が発光する。拡散手段２１２上で光が当たって発光する形状は、ＢＩＮ２１４に設けた隙間２０５及び開口部２０６の形状によるので、これを丸穴や多角形の穴等にすると見栄えが変わる。
【００１８】
かかる構成によれば、メディア移送手段が移動したときにＢＩＮの開口部から光が通過して拡散手段に届き、光が拡散発光することにより、ユーザがメディア移送手段の位置や動作を視認することができる。
＜実施の形態２＞
図４は、本発明の実施の形態２におけるチェンジャー装置の斜視図である。実施の形態１ではキャビネット内に記録再生手段を備えた構成としていたが、本実施の形態では記録再生手段を外付けとした構成としている。コンベア２３１は、キャビネット２２１の外部からメディアの出し入れを行う。
【００１９】
したがって、メディア移送手段は、ＢＩＮからメディアを取り出し上下左右前後にスライド、あるいは回転しコンベア２３１にメディアを搬送して外部記録再生手段（図示せず）に送り出し、外部記録再生手段がメディアを記録再生可能な状態にする。また、その逆の搬送も行う。
【００２０】
かかる構成によっても実施の形態１と同様に、メディア移送手段が移動したときにＢＩＮの開口部から光が通過して拡散手段に届き、光が拡散発光することにより、ユーザがメディア移送手段の位置や動作を視認することができる。
＜実施の形態３＞
図５は、本発明の実施形態３における発光手段の斜視図である。実施の形態１及び２において、発光手段の構成だけを変更したものが本実施の形態である。発光手段の構成としては、発光部材としてのＬＥＤ２４１〜２４４をマトリクス状に配置し移動方向や停止状態によって点灯させるＬＥＤやその発光パターンを変更させれば、動作視認の効果が上がる。例えばメディア移送手段が右斜め上や、左斜め下に移動する場合には２４１，２４２を点灯させる。上下移動ならば、２４１，２４３のようにする。また、前後移動中には、ＬＥＤを点滅させてもよい。
【産業上の利用可能性】
【００２１】
本発明のチェンジャー装置によれば、移送手段の動作が直接視認できないまたは困難な場合でも、拡散手段が発光することで動作を視認できるので、各種容器を収納する倉庫等にも適用できる。
【図面の簡単な説明】
【００２２】
【図１】本発明の実施の形態１におけるチェンジャー装置の斜視図
【図２】本発明の実施の形態１におけるＢＩＮの斜視図
【図３】本発明の実施の形態１における前面窓とＢＩＮと光源の関係図
【図４】本発明の実施の形態２におけるチェンジャー装置の斜視図
【図５】本発明の実施の形態３における光発光手段の斜視図
【図６】従来のチェンジャー装置における斜視図
【図７】従来のメディア収納棚の斜視図
【図８】従来のチェンジャー装置の窓形状を示した斜視図
【符号の説明】
【００２３】
１０１・・・キャビネット
１０２・・・メディア移送装置
１０３・・・メディア収納棚
１０４・・・メディア収納棚
１０５・・・記録再生装置
１０６・・・前面窓
１１１・・・メディア
１１２・・・メディア収納棚
１２１・・・側面窓
１２２・・・ＢＩＮの未使用範囲
２０１・・・メディア
２０２・・・棚部材
２０３・・・棚固定部材
２０４・・・凹部
２０５・・・隙間
２０６・・・開口部
２０７・・・ホルダ
２１１・・・前面窓
２１２・・・拡散手段
２１３・・・光源
２１４・・・ＢＩＮ
２２１・・・キャビネット
２２２・・・左右方向移送手段
２２３・・・上下方向移送手段
２２４・・・回転移送手段
２２５・・・前後移送手段
２２６・・・記録再生手段
２３１・・・コンベア
２４１・・・ＬＥＤ
２４２・・・ＬＥＤ
２４３・・・ＬＥＤ
２４４・・・ＬＥＤ
【図１】
2006092716.tif 000003
【図２】
2006092716.tif 000004
【図３】
2006092716.tif 000005
【図４】
2006092716.tif 000006
【図５】
2006092716.tif 000007
【図６】
2006092716.tif 000008
【図７】
2006092716.tif 000009
【図８】
2006092716.tif 000010